(57)【要約】【課題】生きた状態の恐竜の形状を表した置物で、比較的簡単な構成で恐竜の形状を表すことができる置物を提供する。【解決手段】置物５は、恐竜の首部と胴部と尾部とを表す主体部１０と、頭部３０と、右側脚部５０と、左側脚部６０と、右側腕部９０と、左側腕部１００等により構成され、主体部１０と、頭部３０と、右側脚部５０と、左側脚部６０と、右側腕部９０と、左側腕部１００とは、板状の中央部とその両側の板状の側部とにより構成されている。【選択図】図１
0003125531.tif 000002
【実用新案登録請求の範囲】
【請求項１】
恐竜の形状を表した組立て置物であって、
恐竜の首部と胴部と尾部とを表した主体部で、首部と胴部と尾部の上面を構成する板状の主体部中央部と、主体部中央部の両側から連設され、首部と胴部と尾部の側面を構成する一対の板状の主体部側部で、各主体部側部には、下端から板状部を差し込むための差込み部で少なくとも切込み線を有する差込み部が前側と後ろ側に設けられた一対の主体部側部と、を有し、展開状態が平板状を呈し、紙材等のシート状部材により構成された主体部と、
主体部の首部に取り付けるための頭部で、頭部の上面を構成する板状の頭部上面部と、頭部上面部の両側から連設され、頭部の側面を構成する一対の板状の頭部側部で、目を表す開口部や口を表す切欠部が設けられた一対の頭部側部と、を有し、展開状態が平板状を呈し、紙材等のシート状部材により構成された頭部と、
主体部における一対の主体部側部の前側に設けられた一対の差込み部に差し込まれた第１板状部で、両側に片部が突出して形成された第１板状部と、
主体部における一対の主体部側部の後ろ側に設けられた一対の差込み部に差し込まれた第２板状部で、両側に片部が突出して形成された第２板状部と、
第１板状部の両側の片部の一方に支持された右側腕部と、
第１板状部の両側の片部の他方に支持された左側腕部と、
第２板状部の両側の片部の一方に支持された右側脚部で、板状を呈する脚部板状部と、脚部板状部の両側から連設され、脚部の側面を形成する一対の板状の脚部側部で、一対の脚部側部のいずれかに第２板状部の一方の片部を差し込むための差込み部を有する脚部側部と、を有し、展開状態が平板状を呈し、紙材等のシート状部材により構成された右側脚部と、
第２板状部の両側の片部の他方に支持された左側脚部で、板状を呈する脚部板状部と、脚部板状部の両側から連設され、脚部の側面を形成する一対の板状の脚部側部で、一対の脚部側部のいずれかに第２板状部の他方の片部を差し込むための差込み部を有する脚部側部と、を有し、展開状態が平板状を呈し、紙材等のシート状部材により構成された左側脚部と、
を有することを特徴とする組立て置物。
【請求項２】
右側腕部が、板状を呈する腕部板状部と、腕部板状部の両側から連設され、腕部の側面を形成する一対の板状の腕部側部で、一対の腕部側部のいずれかに第１板状部の一方の片部を差し込むための差込み部を有する腕部側部を有し、展開状態が平板状を呈し、紙材等のシート状部材により構成されていて、また、左側腕部が、板状を呈する腕部板状部と、腕部板状部の両側から連設され、腕部の側面を形成する一対の板状の腕部側部で、一対の腕部側部のいずれかに第１板状部の他方の片部を差し込むための差込み部を有する腕部側部を有し、展開状態が平板状を呈し、紙材等のシート状部材により構成されていることを特徴とする請求項１に記載の組立て置物。
【請求項３】
頭部において、頭部上面部から連設された湾曲部で、複数の板状部が折れ線を介して設けられて湾曲状に形成され、頭部側部の外周に沿って設けられた湾曲部が設けられ、右側脚部及び左側脚部において、脚部板状部から上側に連設された湾曲部で、複数の板状部が折れ線を介して設けられて湾曲状に形成され、脚部側部の外周に沿って設けられた湾曲部が設けられていることを特徴とする請求項１又は２に記載の組立て置物。
【考案の詳細な説明】
【技術分野】
【０００１】
本考案は、組立て置物に関するものであり、特に、紙材等のシート状部材により構成された組立て置物に関するものである。
【背景技術】
【０００２】
従来より、恐竜を型取った人形としては、合成樹脂により形成したおもちゃが存在する。また、恐竜を型取った組立て式の置物としては、恐竜の骨の形の各パーツを組み立てて骨標本のような構成としたものが存在する。
【０００３】
なお、出願人は、先行技術文献の調査を行ったが、記載すべき先行技術文献を知得していない。
【考案の開示】
【考案が解決しようとする課題】
【０００４】
しかし、骨標本の構成の置物では、生きた状態の恐竜を表現することができず、また、構成が複雑であるため、組立てに時間が掛かり、また、コストが掛かるという問題があった。また、生きた状態の恐竜の形状を表した置物や人形で、紙製のものは存在せず、特に、比較的簡単な構成で恐竜の形状を表すことができるものは存在しなかった。
【０００５】
そこで、本考案が解決しようとする問題点は、生きた状態の恐竜の形状を表した置物で、比較的簡単な構成で恐竜の形状を表すことができる置物を提供することを目的とするものである。
【課題を解決するための手段】
【０００６】
本考案は上記問題点を解決するために創作されたものであって、第１には、恐竜の形状を表した組立て置物であって、恐竜の首部と胴部と尾部とを表した主体部で、首部と胴部と尾部の上面を構成する板状の主体部中央部と、主体部中央部の両側から連設され、首部と胴部と尾部の側面を構成する一対の板状の主体部側部で、各主体部側部には、下端から板状部を差し込むための差込み部で少なくとも切込み線を有する差込み部が前側と後ろ側に設けられた一対の主体部側部と、を有し、展開状態が平板状を呈し、紙材等のシート状部材により構成された主体部と、主体部の首部に取り付けるための頭部で、頭部の上面を構成する板状の頭部上面部と、頭部上面部の両側から連設され、頭部の側面を構成する一対の板状の頭部側部で、目を表す開口部や口を表す切欠部が設けられた一対の頭部側部と、を有し、展開状態が平板状を呈し、紙材等のシート状部材により構成された頭部と、主体部における一対の主体部側部の前側に設けられた一対の差込み部に差し込まれた第１板状部で、両側に片部が突出して形成された第１板状部と、主体部における一対の主体部側部の後ろ側に設けられた一対の差込み部に差し込まれた第２板状部で、両側に片部が突出して形成された第２板状部と、第１板状部の両側の片部の一方に支持された右側腕部と、第１板状部の両側の片部の他方に支持された左側腕部と、第２板状部の両側の片部の一方に支持された右側脚部で、板状を呈する脚部板状部と、脚部板状部の両側から連設され、脚部の側面を形成する一対の板状の脚部側部で、一対の脚部側部のいずれかに第２板状部の一方の片部を差し込むための差込み部を有する脚部側部と、を有し、展開状態が平板状を呈し、紙材等のシート状部材により構成された右側脚部と、第２板状部の両側の片部の他方に支持された左側脚部で、板状を呈する脚部板状部と、脚部板状部の両側から連設され、脚部の側面を形成する一対の板状の脚部側部で、一対の脚部側部のいずれかに第２板状部の他方の片部を差し込むための差込み部を有する脚部側部と、を有し、展開状態が平板状を呈し、紙材等のシート状部材により構成された左側脚部と、を有することを特徴とする。
【０００７】
この第１の構成の組立て置物においては、恐竜の首部と胴部と尾部とを表す主体部と、頭部と、一対の脚部と、一対の腕部等により構成され、主体部と、頭部と、脚部とは、中央部（つまり、主体部中央部、頭部上面部、脚部板状部）とその両側の側部とにより構成されていて、各部が厚みをもった構成に形成されているので、生きた状態の恐竜の形状を表すことができ、また、上記各部により恐竜の形状に形成されるので、比較的簡単な構成で恐竜の形状を表すことができる。
【０００８】
また、第２には、上記第１の構成において、右側腕部が、板状を呈する腕部板状部と、腕部板状部の両側から連設され、腕部の側面を形成する一対の板状の腕部側部で、一対の腕部側部のいずれかに第１板状部の一方の片部を差し込むための差込み部を有する腕部側部を有し、展開状態が平板状を呈し、紙材等のシート状部材により構成されていて、また、左側腕部が、板状を呈する腕部板状部と、腕部板状部の両側から連設され、腕部の側面を形成する一対の板状の腕部側部で、一対の腕部側部のいずれかに第１板状部の他方の片部を差し込むための差込み部を有する腕部側部を有し、展開状態が平板状を呈し、紙材等のシート状部材により構成されていることを特徴とする。このように、特に四つ足の恐竜を表す場合には、腕部も脚部と同様の構成とすることにより、四つ足恐竜を表すことができる。
【０００９】
また、第３には、上記第１又は第２の構成において、頭部において、頭部上面部から連設された湾曲部で、複数の板状部が折れ線を介して設けられて湾曲状に形成され、頭部側部の外周に沿って設けられた湾曲部が設けられ、右側脚部及び左側脚部において、脚部板状部から上側に連設された湾曲部で、複数の板状部が折れ線を介して設けられて湾曲状に形成され、脚部側部の外周に沿って設けられた湾曲部が設けられていることを特徴とする。このように湾曲部を設けることにより、丸みを表現することができ、よりリアルに形状を表すことができる。
【考案の効果】
【００１０】
本考案に基づく組立て置物によれば、恐竜の首部と胴部と尾部とを表す主体部と、頭部と、一対の脚部と、一対の腕部等により構成され、主体部と、頭部と、脚部とは、中央部（つまり、主体部中央部、頭部上面部、脚部板状部）とその両側の側部とにより構成されていて、各部が厚みをもった構成に形成されているので、生きた状態の恐竜の形状を表すことができ、また、上記各部により恐竜の形状に形成されるので、比較的簡単な構成で恐竜の形状を表すことができる。
【考案を実施するための最良の形態】
【００１１】
本考案においては、生きた状態の恐竜の形状を表した置物で、比較的簡単な構成で恐竜の形状を表すことができる置物を提供するという目的を以下のようにして実現した。
【００１２】
本考案に基づく組立て置物としての置物５は、図１〜図７に示すように構成され、主体部１０と、頭部３０と、右側脚部５０と、左側脚部６０と、板状部（第１板状部）７０と、板状部（第２板状部）８０と、右側腕部９０と、左側腕部１００と、板状部１１０とを有している。なお、図面における展開図において、実線は外周線、切込み、開口部のいずれかを示し、一点鎖線は山折り線を示し、二点鎖線は谷折り線を示すものである。
【００１３】
ここで、主体部１０は、主として、恐竜の胴部を構成しており、厳密には、首部と、胴部と、尾部とを構成するものである。
【００１４】
この主体部１０の構成をさらに詳しく説明すると、主体部１０は、１枚のシート材（例えば、紙材）により構成され、その展開状態は図３に示すように構成されていて、中央部（上面部としてもよい）（主体部中央部）１２と、側部（主体部側部）１４と、側部（主体部側部）１６と、傾斜部１８、２０とを有している。このように主体部１０は、展開状態が平板状を呈し、紙材等のシート状部材により構成されている。
【００１５】
中央部１２は、首部と胴部と尾部の上面を構成し、細長形状の板状を呈し、特に、後方に行くほど幅が細くなる形状をしている。つまり、中央部１２は、前側部１２−１と中央部１２−２と後ろ側部１２−３とを有し、前側部１２−１は、前側に行くほど幅が狭くなる台形形状を呈し、中央部１２−２は、中央付近の両側が窪んだ縦長の長方形状を呈し、また、後ろ側部１２−３は、後方に行くほど幅が狭くなり、細長の台形形状を呈している。なお、前側部１２−１には、頭部３０を支持するための細長の開口部１２ａが設けられ、また、後ろ側部１２−３の両側には、側部１４、１６と接着するための糊代部１２ｂが設けられている。
【００１６】
また、側部１４は、中央部１２の左側（つまり、上面視左側）から折れ線を介して下方に連設されていて、前側部１４−１と、中央部１４−２と、後ろ側部１４−３とを有していて、前側部１４−１が、恐竜を側面視した場合の首の形状を呈し、中央部１４−２が、恐竜を側面視した場合の胴部の形状を呈し、後ろ側部１４−３が、恐竜を側面視した場合の尾部の形状を呈するように構成されている。つまり、前側部１４−１は、前側に行くほど幅が狭くなり、その下辺が曲線状に形成された形状を呈し、また、中央部１４−２は、前側と後ろ側がやや幅が狭く、その中央部分が下方に膨らんだ形状を呈し、後ろ側部１４−３は、後方にいくほど先細りの形状を呈している。つまり、側部１４は、首部と胴部と尾部の側面を構成し、板状を呈している。また、中央部１４−２における前側と後ろ側には、直線状の切込みと細長の開口部とからなる差込み部１４ａ、１４ｂが形成されている。この差込み部１４ａ、１４ｂの切込みの一方の端部は、中央部１４−２の下端まで設けられ、他方の端部は、細長の開口部に繋がっている。差込み部１４ａ、１４ｂは、組立て状態では上下方向に設けられている。なお、差込み部１４ａを構成する開口部の長さは、後述する板状部７０の片部７４の長さａ１と同一又はそれ以上の長さに形成され、片部７４が挿入可能に形成されている。また、差込み部１４ｂを構成する開口部の長さは、後述する板状部８０の片部８４の根本部分の長さｂ１と同一又はそれ以上の長さに形成され、片部８４の根本が挿入可能に形成されている。
【００１７】
また、側部１６は、中央部１２の右側（つまり、上面視右側）から折れ線を介して下方に連設されていて、前側部１６−１と、中央部１６−２と、後ろ側部１６−３とを有していて、側部１４とは線対称の形状を呈している。すなわち、前側部１６−１が、恐竜を側面視した場合の首の形状を呈し、中央部１６−２が、恐竜を側面視した場合の胴部の形状を呈し、後ろ側部１６−３が、恐竜を側面視した場合の尾部の形状を呈するように構成されている。つまり、前側部１６−１は、前側に行くほど幅が狭くなり、その下辺が曲線状に形成された形状を呈し、また、中央部１６−２は、前側と後ろ側がやや幅が狭く、その中央部分が下方に膨らんだ形状を呈し、後ろ側部１６−３は、後方にいくほど先細りの形状を呈している。つまり、側部１６は、首部と胴部と尾部の側面を構成し、板状を呈している。また、中央部１６−２における前側と後ろ側には、直線状の切込みと細長の開口部とからなる差込み部１６ａ、１６ｂが形成されている。この差込み部１６ａ、１６ｂの切込みの一方の端部は、中央部１６−２の下端まで設けられ、他方の端部は、細長の開口部に繋がっている。差込み部１６ａ、１６ｂは、組立て状態では上下方向に設けられている。
【００１８】
なお、差込み部１６ａを構成する開口部の長さは、後述する板状部７０の片部７６の長さａ２と同一又はそれ以上の長さに形成され、片部７６が挿入可能に形成されている。また、差込み部１６ｂを構成する開口部の長さは、後述する板状部８０の片部８６の根本部分の長さｂ２と同一又はそれ以上の長さに形成され、片部８６の根本が挿入可能に形成されている。
【００１９】
また、中央部１２の中央部１２−２の窪んだ部分の両側には、２つの円弧状辺部で囲まれた形状の傾斜部１８、２０が連設されている。つまり、中央部１２の中央部１２−２と側部１４の中央部１４−２の間に、傾斜部１８が設けられ、また、中央部１２の中央部１２−２と側部１６の中央部１６−２の間に、傾斜部２０が設けられている。
【００２０】
次に、頭部３０について説明する。頭部は、恐竜の頭部を形成しており、１枚のシート材（例えば、紙材）により構成され、その展開状態は図４に示すように構成されていて、中央部３２と、側部（頭部側部）３４と、側部（頭部側部）３６と、連結部３８とを有している。このように、頭部３０は、展開状態が平板状を呈し、紙材等のシート状部材により構成されている。
【００２１】
ここで、中央部３２は、上面部（頭部上面部）３２−１と、湾曲部３２−２と、湾曲部３２−３とを有している。上面部３２−１は、頭部の上面を構成し、略台形を呈し、両側の切込み４０ａ、４０ｂの箇所と、開口部４２ａ、４２ｂの箇所が内側に窪んだ形状を呈している。また、湾曲部３２−２は、上面部３２−１の前端から連設され、方形状又は台形形状の板状部（図４の例では、２つの板状部）が折れ線を介して連設されて湾曲状を呈している。この湾曲部３２−２の両側には、側部３４、３６と接着するための糊代部が設けられている。また、湾曲部３２−３は、上面部３２−１の後端から連設され、方形状又は台形形状の板状部（図４の例では、２つの板状部）が折れ線を介して連設されて湾曲状を呈している。この湾曲部３２−３の両側には、側部３４、３６と接着するための糊代部が設けられている。また、湾曲部３２−３の後端には、方形状の差込み片部３２−４が設けられている。この差込み片部３２−４を主体部１０の開口部１２ａに差し込むことにより、頭部３０を主体部１０に取り付けることができる。
【００２２】
また、側部３４は、上面部３２−１の左側（つまり、上面視左側）から折れ線を介して下方に連設されていて、恐竜を側面視した場合の頭部の形状を呈している。すなわち、全体に横長の形状を呈し、口を表す切欠部３４ａや、目を表す開口部３４ｂが設けられている。この切欠部３４ａは、歯を表す形状を残して形成され、これにより、口の上側と下側から歯が生えているように表されている。また、上面部３２−１と側部３４との境界位置には、湾曲形状の切込み４０ａが設けられ、これにより、恐竜において、目の部分が突状になっていることを表している。また、上面部３２−１と側部３４との境界位置には、開口部４２ａが設けられ、これにより鼻の穴を表している。また、頭部の上部と下部との境界には、折れ線４４ａが設けられ、下あごを表す部分が内側に若干折れ曲がるようになっている。
【００２３】
また、連結部３８は、側部３４の下端から折れ線を介して連設されていて、略台形形状を呈している。また、連結部３８の側部３４と連設されている側とは反対側には、側部３６と接着するための糊代部３８ａが設けられている。
【００２４】
また、側部３６は、上面部３２−１の右側（つまり、上面視右側）から折れ線を介して下方に連設されていて、恐竜を側面視した場合の頭部の形状を呈している。すなわち、全体に横長の形状を呈し、口を表す切欠部３６ａや、目を表す開口部３６ｂが設けられている。この切欠部３６ａは、歯を表す形状を残して形成され、これにより、口の上側と下側から歯が生えているように表されている。また、上面部３２−１と側部３６との境界位置には、湾曲形状の切込み４０ｂが設けられ、これにより、恐竜において、目の部分が突状になっていることを表している。また、上面部３２−１と側部３６との境界位置には、開口部４２ｂが設けられ、これにより鼻の穴を表している。また、頭部の上部と下部との境界には、折れ線４４ｂが設けられ、下あごを表す部分が内側に若干折れ曲がるようになっている。
【００２５】
次に、右側脚部５０について説明する。右側脚部５０は、恐竜の右側の脚部を形成しており、１枚のシート材（例えば、紙材）により構成され、その展開状態は図５に示すように構成されていて、中央部５２と、側部（脚部側部）５４と、側部（脚部側部）５６と、底部５５と、底部５７と、連結部５８とを有している。
【００２６】
ここで、中央部５２は、縦長の略長方形状を呈し、中央本体部（脚部板状部）５２−１と、湾曲部５２−２とを有している。この中央本体部５２−１は、縦長の長方形状を呈している。また、湾曲部５２−２は、中央部５２の上側から連設され、長方形状を呈し、折れ線を介して折り曲げることにより湾曲状になるように形成されている。図５の例では、湾曲部５２−２には、平行に３つの折れ線が設けられ、これにより、４つの板状部を折れ線を介して連ねた形状となっている。また、湾曲部５２−２の両側には、側部５４、５６と接着するための糊代部が設けられている。
【００２７】
また、側部５４は、恐竜の脚を側面視した形状を呈し、大腿部５４−１と、下腿部５４−２と、足部５４−３とを有している。大腿部５４−１は、上側が円弧状を呈し、下側に行くほど幅が狭くなる形状を呈している。この大腿部５４−１には、主体部１０側に取り付けるための細長の開口部（差込み部）５４ｂが設けられている。また、下腿部５４−２は、大腿部５４−１の下端から連設され、下方に行くほど幅が狭くなる細長の形状を呈し、大腿部５４−１と下腿部５４−２とは互いに鈍角を呈し、大腿部５４−１と下腿部５４−２とで屈曲した形状を呈している。なお、大腿部５４−１と下腿部５４−２との境界位置には、板状部１１０を差し込むための細長の切欠部５４ａが設けられている。また、足部５４−３は下腿部５４−２の下端から連設され、略Ｌ字状を呈し、踵部分と先端の上側にアールが形成され、かつ、先端が尖った形状を呈している。
【００２８】
また、側部５４の下端（すなわち、足部５４−３の下端）からは、略長方形状の底部５５が折れ線を介して連設され、また、底部５５の他方の端部からは足部５４−４が折れ線を介して連設されている。足部５４−４は、足部５４−３と略同形状に形成されているが、足部５４−３に比べてより前方に突出した形状を呈している。
【００２９】
また、側部５６は、側部５４とは開口部５４ｂが設けられていない点以外は線対称に形成されていて、恐竜の脚を側面視した形状を呈し、大腿部５６−１と、下腿部５６−２と、足部５６−３とを有している。大腿部５６−１は、上側が円弧状を呈し、下側に行くほど幅が狭くなる形状を呈している。また、下腿部５６−２は、大腿部５６−１の下端から連設され、下方に行くほど幅が狭くなる細長の形状を呈し、大腿部５６−１と下腿部５６−２とは互いに鈍角を呈し、大腿部５６−１と下腿部５６−２とで屈曲した形状を呈している。なお、大腿部５６−１と下腿部５６−２との境界位置には、板状部１１０を差し込むための細長の切欠部５６ａが設けられている。また、足部５６−３は下腿部５６−２の下端から連設され、略Ｌ字状を呈し、踵部分と先端の上側にアールが形成され、かつ、先端が尖った形状を呈している。
【００３０】
また、側部５６の下端（すなわち、足部５６−３の下端）からは、略長方形状の底部５７が折れ線を介して連設され、また、底部５７の他方の端部からは足部５６−４が折れ線を介して連設されている。足部５６−４は、足部５６−３と略同形状に形成されているが、足部５６−３に比べてより前方に突出した形状を呈している。
【００３１】
また、連結部５８は、側部５４の下腿部５４−２の前端から折れ線を介して連設され、略方形状を呈している。また、連結部５８の下腿部５４−２と連設されている側とは反対側の端部には、糊代部５８ａが連設されている。
【００３２】
次に、左側脚部６０について説明する。左側脚部６０は、恐竜の左側の脚部を形成しており、右側脚部５０と略同様の構成であるが、大腿部と下腿部とのなす角度が若干異なる。すなわち、左側脚部６０は、１枚のシート材（例えば、紙材）により構成され、その展開状態は図６に示すように構成されていて、中央部６２と、側部（脚部側部）６４と、側部（脚部側部）６６と、底部６５と、底部６７と、連結部６８とを有している。
【００３３】
ここで、中央部６２は、中央部６２の上側から連設され、縦長の略長方形状を呈し、中央本体部（脚部板状部）６２−１と、湾曲部６２−２とを有している。この中央本体部６２−１は、縦長の長方形状を呈している。また、湾曲部６２−２は、長方形状を呈し、折れ線を介して折り曲げることにより湾曲状になるように形成されている。図６の例では、湾曲部６２−２には、平行に３つの折れ線が設けられ、これにより、４つの板状部を折れ線を介して連ねた形状となっている。また、湾曲部６２−２の両側には、側部６４、６６と接着するための糊代部が設けられている。
【００３４】
また、側部６４は、恐竜の脚を側面視した形状を呈し、大腿部６４−１と、下腿部６４−２と、足部６４−３とを有している。大腿部６４−１は、上側が円弧状を呈し、下側に行くほど幅が狭くなる形状を呈している。また、下腿部６４−２は、大腿部６４−１の下端から連設され、下方に行くほど幅が狭くなる細長の形状を呈し、大腿部６４−１と下腿部６４−２とは互いに鈍角を呈し、大腿部６４−１と下腿部６４−２とで屈曲した形状を呈している。ただし、大腿部６４−１と下腿部６４−２とがなす角度は、右側脚部５０の場合よりも小さく、これにより、左側脚部６０は、右側脚部５０よりも大きく屈曲している。なお、大腿部６４−１と下腿部６４−２との境界位置には、板状部１１０を差し込むための細長の切欠部６４ａが設けられている。また、足部６４−３は下腿部６４−２の下端から連設され、略Ｌ字状を呈し、踵部分と先端の上側にアールが形成され、かつ、先端が尖った形状を呈している。
【００３５】
また、側部６４の下端（すなわち、足部６４−３の下端）からは、略長方形状の底部６５が折れ線を介して連設され、また、底部６５の他方の端部からは足部６４−４が折れ線を介して連設されている。足部６４−４は、足部６４−３と略同形状に形成されているが、足部６４−３に比べてより前方に突出した形状を呈している。
【００３６】
また、側部６６は、側部６４とは開口部６６ｂが設けられている点以外は線対称に形成されていて、恐竜の脚を側面視した形状を呈し、大腿部６６−１と、下腿部６６−２と、足部６６−３とを有している。大腿部６６−１は、上側が円弧状を呈し、下側に行くほど幅が狭くなる形状を呈している。この大腿部６６−１には、主体部１０側に取り付けるための細長の開口部（差込み部）６６ｂが設けられている。また、下腿部６６−２は、大腿部６６−１の下端から連設され、下方に行くほど幅が狭くなる細長の形状を呈し、大腿部６６−１と下腿部６６−２とは互いに鈍角を呈し、大腿部６６−１と下腿部６６−２とで屈曲した形状を呈している。なお、大腿部６６−１と下腿部６６−２との境界位置には、板状部１１０を差し込むための細長の切欠部６６ａが設けられている。また、足部６６−３は下腿部６６−２の下端から連設され、略Ｌ字状を呈し、踵部分と先端の上側にアールが形成され、かつ、先端が尖った形状を呈している。
【００３７】
また、側部６６の下端からは、略長方形状の底部６７が折れ線を介して連設され、また、底部６７の他方の端部からは足部６６−４が折れ線を介して連設されている。足部６６−４は、足部６６−３と略同形状に形成されているが、足部６６−３に比べてより前方に突出した形状を呈している。
【００３８】
次に、板状部７０は、右側腕部９０と左側腕部１００とを支持するとともに、主体部１０に取り付けるためのもので、方形状の本体部７２と、本体部７２の両側から突出した片部７４、７６とを有している。片部７４と片部７６は、略方形状（厳密には、下側の角部が斜めに欠切された方形状）を呈し、その上部には、腕部を取り付けるための切欠部が設けられている。すなわち、片部７４の上部には、左側腕部１００を取り付けるための切欠部７４ａが設けられ、片部７６の上部には、右側腕部９０を取り付けるための切欠部７６ａが設けられている。
【００３９】
また、板状部８０は、右側脚部５０と左側脚部６０とを支持するとともに、主体部１０に取り付けるためのもので、方形状の本体部８２と、本体部８２の両側から突出した片部８４、８６とを有している。片部８４と片部８６は、略方形状（厳密には、上側の角部が斜めに欠切された方形状）を呈し、本体部８２との境界付近には、脚部を取り付けるための切欠部が設けられている。すなわち、片部８４の上部の本体部８２との境界付近には、左側脚部６０を取り付けるための切欠部８４ａが設けられ、片部８６の上部の本体部８２との境界付近には、右側脚部５０を取り付けるための切欠部８６ａが設けられている。なお、切欠部８４ａの幅は、主体部１０の側部１４と左側脚部６０の側部６６の両方が嵌装されるための幅を有し、同様に、切欠部８６ａの幅は、主体部１０の側部１６と右側脚部５０の側部５４の両方が嵌装されるための幅を有している。
【００４０】
次に、右側腕部９０は、図７に示すように、腕本体部９２と、腕本体部９２の基端に設けられた基端部９４とを有し、腕本体部９２は、略Ｌ字状を呈し、その先端が二股に割れて手の形状を呈している。また、基端部９４は、略円形を呈し、板状部７０の片部７６を差し込むための細長の切欠部９４ａが設けられている。
【００４１】
また、左側腕部１００は、図７に示すように、右側腕部９０と対称の形状を呈している。すなわち、左側腕部１００は、腕本体部１０２と、腕本体部１０２の基端に設けられた基端部１０４とを有し、腕本体部１０２は、略Ｌ字状を呈し、その先端が二股に割れて手の形状を呈している。また、基端部１０４は、略円形を呈し、板状部７０の片部７４を差し込むための細長の切欠部１０４ａが設けられている。
【００４２】
また、板状部１１０は、右側脚部５０の膝裏部分の切欠部５４ａ、５６ａに嵌装させるとともに、左側脚部６０の膝裏部分の切欠部６４ａ、６６ａに嵌装させるためのもので、略方形状の一辺に２つの切欠部を有する構成となっている。２つの切欠部は、各脚部の２つの切欠部と歯合するようになっている。
【００４３】
以上の構成の置物５の組立て方法について説明する。まず、置物５を構成する各部を組み立てておく。すなわち、主体部１０においては、各部を折れ線に沿って折り曲げ、特に、側部１４と側部１６とを中央部１２に対して折り曲げるとともに、中央部１２の糊代部１２ｂも折り曲げる。そして、糊代部１２ｂと後ろ側部１２−３とを接着させ、糊代部１２ｂと後ろ側部１４−３とを接着させる。
【００４４】
また、頭部３０においては、各部を折れ線に沿って折り曲げ、特に、側部３４と側部３６とを中央部３２に対して折り曲げるとともに、連結部３８を側部３４に対して折り曲げる。そして、糊代部３８ａを側部３６に接着させ、また、湾曲部３２−２と湾曲部３２−３に設けられた糊代部を側部３４、３６に接着させて、湾曲部３２−２、３２−３が側部３４、３６の外周に合わせて湾曲させた状態で固着する。
【００４５】
また、右側脚部５０においては、各部を折れ線に沿って折り曲げ、特に、中央本体部５２−１に対して側部５４、５６を折り曲げる。そして、連結部５８に設けられた糊代部５８ａを側部５６に接着させ、また、足部５４−４と足部５６−４とを合わせた状態で接着させる。また、湾曲部５２−２は、両側に設けられた糊代部を側部５４の大腿部５４−１と側部５６の大腿部５６−１に接着させ、湾曲部５２−２が、大腿部５４−１、５６−１の外周に合わせた状態で固着する。
【００４６】
また、左側脚部６０においては、各部を折れ線に沿って折り曲げ、特に、中央本体部６２−１に対して側部６４、６６を折り曲げる。そして、連結部６８に設けられた糊代部６８ａを側部６６に接着させ、また、足部６４−４と足部６６−４とを合わせた状態で接着させる。また、湾曲部６２−２は、両側に設けられた糊代部を側部６４の大腿部６４−１と側部６６の大腿部６６−１に接着させ、湾曲部６２−２が、大腿部６４−１、６６−１の外周に合わせた状態で固着する。
【００４７】
以上のように、各部の組立てが完了したら、各部同士を組み立てる。すなわち、板状部７０を主体部１０の差込み部１４ａ、１６ａに差し込み、また、板状部８０を主体部１０の差込み部１４ｂ、１６ｂに差し込む。その際、板状部７０の片部７４が差込み部１４ａの開口部内に嵌装され、また、板状部７０の片部７６が差込み部１６ａの開口部内に嵌装されるようにする。また、板状部８０の切欠部８４ａ内に主体部１０の側部１４の中央部１４−２が嵌装され、板状部８０の切欠部８６ａ内に主体部１０の側部１６の中央部１６−２が嵌装されるようにする。
【００４８】
その後、一対の腕部を取り付けるとともに、一対の脚部を取り付ける。すなわち、右側腕部９０を板状部７０の切欠部７６ａに差し込んで嵌装させ、また、左側腕部１００を板状部７０の切欠部７４ａに差し込んで嵌装させて、一対の腕部を取り付ける。また、右側脚部５０の開口部５４ｂ内に板状部８０の片部８６を差し込んだ後に、右側脚部５０を下側に若干移動させて、板状部８０の切欠部８６ａ内に右側脚部５０の側部５４の大腿部５４−１が嵌装するようにする。また、左側脚部６０の開口部６６ｂ内に板状部８０の片部８４を差し込んだ後に、左側脚部６０を下側に若干移動させて、板状部８０の切欠部８４ａ内に左側脚部６０の側部６６の大腿部６６−１が嵌装するようにする。以上のようにして、一対の脚部を取り付ける。
【００４９】
その後、頭部３０の差込み片部３２−４を主体部１０の開口部１２ａに差し込んで頭部３０を主体部１０に取り付ける。以上のようにして、頭部３０を取り付ける。
【００５０】
以上のように、各部を組み立てることにより、置物５が完成される。なお、上記の組立て方法については、組立の順序を必要に応じて適宜入れ替えても良い。
【００５１】
上記の構成の置物５においては、恐竜の首部と胴部と尾部とを表す主体部１０と、頭部３０と、一対の脚部５０、６０と、一対の腕部９０、１００等により構成され、主体部１０と、頭部３０と、脚部５０、６０とは、中央部とその両側の側部とにより構成されていて、各部が厚みをもった構成に形成されているので、生きた状態の恐竜の形状を表すことができ、また、比較的簡単な構成で恐竜の形状を表すことができる。
【００５２】
また、頭部３０に湾曲部３２−２、３２−３が設けられ、右側脚部５０に湾曲部５２−２が設けられ、左側脚部６０に湾曲部６２−２が設けられていることにより、丸みを表現することができ、よりリアルに形状を表すことができる。
【００５３】
なお、上記の説明においては、右側腕部９０と左側腕部１００が板状部材により形成されているものとして説明したが、右側脚部５０や左側脚部６０と同様に、中央板（腕部板状部）と、中央部の両側に設けられた一対の側部（腕部側部）とにより厚みのある脚部として構成してもよい。つまり、特に四つ足の恐竜を表す場合には、腕部も脚部と同様の構成とすることにより、四つ足恐竜を表すことができる。
【００５４】
また、上記の説明においては、頭部３０を主体部１０に取り付けるに当たっては、頭部３０に設けられた差込み片部３２−４を主体部１０の開口部１２ａに差し込むものとして説明したが、頭部３０の側部３４、３６の内側を主体部１０の側部１４、１６の表側に接着させて、頭部３０を主体部１０に取り付けるようにしてもよい。
【００５５】
また、右側脚部５０と左側脚部６０において、両側の下腿部の前側に連結部５８、６８が設けられているものとして説明したが、下腿部の後ろ側にも連結部を設けてもよい。また、下腿部の前側に連結部を設ける代わりに下腿部の後ろ側に連結部を設けてもよい。
【００５６】
また、右側脚部５０において、底部５５、５７と、足部５４−４、５６−４が設けられ、左側脚部６０において、底部６５、６７と、足部６４−４、６６−４が設けられているものとして説明したが、これらの構成を省略してもよい。
【図面の簡単な説明】
【００５７】
【図１】本発明の実施例に基づく置物の構成を示す斜視図である。
【図２】本発明の実施例に基づく置物の構成を示す斜視図である。
【図３】主体部の展開図である。
【図４】頭部の展開図である。
【図５】右側脚部の展開図である。
【図６】左側脚部の展開図である。
【図７】本発明の実施例に基づく置物の構成を説明するための説明図である。
【符号の説明】
【００５８】
５  置物
１０  主体部
１２、３２、５２、６２  中央部
１２−１、１４−１、１６−１  前側部
１２−２、１４−２、１６−２  中央部
１２−３、１４−３、１６−３  後ろ側部
１４、１６、３４、３６、５４、５６  側部
３２−２、３２−３、５２−２、６２−２  湾曲部
３２−４  差込み片部
３８、５８、６８  連結部
５０  右側脚部
６０  左側脚部
７０、８０、１１０  板状部
７４、７６、８４、８６  片部
９０  右側腕部
１００  左側腕部
【図１】
0003125531.tif 000003
【図２】
0003125531.tif 000004
【図３】
0003125531.tif 000005
【図４】
0003125531.tif 000006
【図５】
0003125531.tif 000007
【図６】
0003125531.tif 000008
【図７】
0003125531.tif 000009